(57)【要約】【課題】通話時の音声の聞き取りやすさを向上させ周囲への音声漏れを防止する。【解決手段】通信端末１０は、新たな通話の開始時に、電話帳ＤＢ１２に記憶されている通話相手の受話音量情報、発着信履歴ＤＢ１３に記憶されている通話相手の前回の通話時の受話音量情報、および受話音量のデフォルト値の何れかを今回の通話で用いる受話音量として設定する受話音量設定部１４と、周囲の騒音レベルを測定する騒音測定部１５と、周囲の騒音レベルが基準レベル以上か否かに応じて受話音量を調整するか否かを判断する騒音判断部１６と、調整すると判断された場合、周囲の騒音レベルに応じて受話音量を調整する受話音量調整部１７と、上記調整前に設定された受話音量を電話帳ＤＢ１２や発着信履歴ＤＢ１３に記憶する動作を制御する受話音量記憶制御部１８と、を備える。【選択図】図１
2011205245.tif 000002
【特許請求の範囲】
【請求項１】
通話相手ごとの受話音量情報を含む通話相手に関する情報を記憶するための電話帳データベースと、
前回の通話時の受話音量情報を含む発着信履歴情報を記憶するための発着信履歴データベースと、
を備えた通信端末であって、
新たな通話の開始時に、前記電話帳データベースに記憶されている通話相手の受話音量情報、前記発着信履歴データベースに記憶されている通話相手の前回の通話時の受話音量情報、および、予め定められた受話音量のデフォルト値、の何れかを、今回の通話で用いる受話音量として設定する受話音量設定部と、
周囲の騒音レベルを測定する騒音測定部と、
前記騒音測定部により測定された周囲の騒音レベルが予め定められた基準レベル以上か否かに応じて、前記受話音量設定部により設定された受話音量を調整するか否かを判断する騒音判断部と、
前記騒音判断部により前記受話音量を調整すると判断された場合、前記周囲の騒音レベルに応じて前記受話音量を調整する受話音量調整部と、
前記受話音量調整部による調整が行われる前に前記受話音量設定部により設定された受話音量を、前記電話帳データベースおよび前記発着信履歴データベースの少なくとも一方へ記憶する動作を制御する受話音量記憶制御部と、
を備える通信端末。
【請求項２】
前記受話音量設定部は、
前記新たな通話の通話相手の受話音量情報が前記電話帳データベースに記憶されている場合は、前記電話帳データベースに記憶された受話音量情報を今回の通話で用いる受話音量として設定し、
前記通話相手の受話音量情報が前記電話帳データベースに記憶されておらず前記通話相手の前回の通話時の受話音量情報が前記発着信履歴データベースに記憶されている場合は、前記発着信履歴データベースに記憶された前回の通話時の受話音量情報を今回の通話で用いる受話音量として設定し、
前記通話相手の受話音量情報が前記電話帳データベースに記憶されておらず前記通話相手の前回の通話時の受話音量情報が前記発着信履歴データベースに記憶されていない場合は、前記受話音量のデフォルト値を今回の通話で用いる受話音量として設定する、
ことを特徴とする請求項１に記載の通信端末。
【請求項３】
前記受話音量記憶制御部は、
前記新たな通話の通話相手が前記電話帳データベースに記憶されていない場合は、前記設定された受話音量を前記発着信履歴データベースに記憶し、
前記新たな通話の通話相手が前記電話帳データベースに記憶されているが当該通話相手の受話音量情報が前記電話帳データベースに記憶されていない場合は、前記設定された受話音量を前記電話帳データベースに記憶する、
ことを特徴とする請求項１又は２に記載の通信端末。
【請求項４】
通話相手ごとの受話音量情報を含む通話相手に関する情報を記憶するための電話帳データベースと、前回の通話時の受話音量情報を含む発着信履歴情報を記憶するための発着信履歴データベースと、を備えた通信端末、により実行される受話音量制御方法であって、
新たな通話の開始時に、前記電話帳データベースに記憶されている通話相手の受話音量情報、前記発着信履歴データベースに記憶されている通話相手の前回の通話時の受話音量情報、および、予め定められた受話音量のデフォルト値、の何れかを、今回の通話で用いる受話音量として設定する受話音量設定ステップと、
周囲の騒音レベルを測定する騒音測定ステップと、
前記騒音測定ステップにより測定された周囲の騒音レベルが予め定められた基準レベル以上か否かに応じて、前記受話音量設定部により設定された受話音量を調整するか否かを判断する騒音判断ステップと、
前記騒音判断ステップにより前記受話音量を調整すると判断された場合、前記周囲の騒音レベルに応じて前記受話音量を調整する受話音量調整ステップと、
前記受話音量調整ステップでの調整が行われる前に前記受話音量設定ステップにより設定された受話音量を、前記電話帳データベースおよび前記発着信履歴データベースの少なくとも一方へ記憶する動作を制御する受話音量記憶制御ステップと、
を備える受話音量制御方法。
【請求項５】
前記受話音量設定ステップにおいて、前記通信端末は、
前記新たな通話の通話相手の受話音量情報が前記電話帳データベースに記憶されている場合は、前記電話帳データベースに記憶された受話音量情報を今回の通話で用いる受話音量として設定し、
前記通話相手の受話音量情報が前記電話帳データベースに記憶されておらず前記通話相手の前回の通話時の受話音量情報が前記発着信履歴データベースに記憶されている場合は、前記発着信履歴データベースに記憶された前回の通話時の受話音量情報を今回の通話で用いる受話音量として設定し、
前記通話相手の受話音量情報が前記電話帳データベースに記憶されておらず前記通話相手の前回の通話時の受話音量情報が前記発着信履歴データベースに記憶されていない場合は、前記受話音量のデフォルト値を今回の通話で用いる受話音量として設定する、
ことを特徴とする請求項４に記載の受話音量制御方法。
【請求項６】
前記受話音量記憶制御ステップにおいて、前記通信端末は、
前記新たな通話の通話相手が前記電話帳データベースに記憶されていない場合は、前記設定された受話音量を前記発着信履歴データベースに記憶し、
前記新たな通話の通話相手が前記電話帳データベースに記憶されているが当該通話相手の受話音量情報が前記電話帳データベースに記憶されていない場合は、前記設定された受話音量を前記電話帳データベースに記憶する、
ことを特徴とする請求項４又は５に記載の受話音量制御方法。
【発明の詳細な説明】
【技術分野】
【０００１】
本発明は、通信端末及び受話音量制御方法に関するものである。
【背景技術】
【０００２】
従来から、通信端末が備える受話音量調整機能として、周囲の騒音レベルに応じて受話音量を自動的に調整し設定する機能が知られている（例えば特許文献１参照）。
【先行技術文献】
【特許文献】
【０００３】
【特許文献１】特開２００９−２０６６１６号公報
【発明の概要】
【発明が解決しようとする課題】
【０００４】
ところで、通話時における端末ユーザの声の大きさには個人差があり、大きな声で通話する人、小さな声で通話する人など、さまざまである。
【０００５】
しかし、従来は、通話相手に応じて受話音量の調整を行うという着眼点に欠けていた。そのため、例えば、大きな声で通話する傾向の有る通話相手との通話を、非常に静かな環境で行った場合、通話相手の音声が周囲に漏れてしまうという不都合や通話相手の音声が聞き取りづらくなるという不都合が生じるおそれがあった。
【０００６】
そこで、本発明は、かかる課題に鑑みて為されたものであり、周囲の騒音レベルに加え更に通話相手に応じて受話音量を設定することで、通話時の音声の聞き取りやすさを向上させ周囲への音声漏れを防止することが可能な通信端末及び受話音量制御方法を提供することを目的とする。
【課題を解決するための手段】
【０００７】
上記課題を解決するため、本発明に係る通信端末は、通話相手ごとの受話音量情報を含む通話相手に関する情報を記憶するための電話帳データベースと、前回の通話時の受話音量情報を含む発着信履歴情報を記憶するための発着信履歴データベースと、を備えた通信端末であって、新たな通話の開始時に、電話帳データベースに記憶されている通話相手の受話音量情報、発着信履歴データベースに記憶されている通話相手の前回の通話時の受話音量情報、および、予め定められた受話音量のデフォルト値、の何れかを、今回の通話で用いる受話音量として設定する受話音量設定部と、周囲の騒音レベルを測定する騒音測定部と、騒音測定部により測定された周囲の騒音レベルが予め定められた基準レベル以上か否かに応じて、受話音量設定部により設定された受話音量を調整するか否かを判断する騒音判断部と、騒音判断部により受話音量を調整すると判断された場合、周囲の騒音レベルに応じて受話音量を調整する受話音量調整部と、受話音量調整部による調整が行われる前に受話音量設定部により設定された受話音量を、電話帳データベースおよび発着信履歴データベースの少なくとも一方へ記憶する動作を制御する受話音量記憶制御部と、を備えることを特徴とする。
【０００８】
また、本発明に係る受話音量制御方法は、通話相手ごとの受話音量情報を含む通話相手に関する情報を記憶するための電話帳データベースと、前回の通話時の受話音量情報を含む発着信履歴情報を記憶するための発着信履歴データベースと、を備えた通信端末、により実行される受話音量制御方法であって、新たな通話の開始時に、電話帳データベースに記憶されている通話相手の受話音量情報、発着信履歴データベースに記憶されている通話相手の前回の通話時の受話音量情報、および、予め定められた受話音量のデフォルト値、の何れかを、今回の通話で用いる受話音量として設定する受話音量設定ステップと、周囲の騒音レベルを測定する騒音測定ステップと、騒音測定ステップにより測定された周囲の騒音レベルが予め定められた基準レベル以上か否かに応じて、受話音量設定部により設定された受話音量を調整するか否かを判断する騒音判断ステップと、騒音判断ステップにより受話音量を調整すると判断された場合、周囲の騒音レベルに応じて受話音量を調整する受話音量調整ステップと、受話音量調整ステップでの調整が行われる前に受話音量設定ステップにより設定された受話音量を、電話帳データベースおよび発着信履歴データベースの少なくとも一方へ記憶する動作を制御する受話音量記憶制御ステップと、を備えることを特徴とする。
【０００９】
上記のような本発明に係る通信端末及び受話音量制御方法によれば、新たな通話の開始時に通話相手に応じて受話音量を設定し、そのときの周囲の騒音レベルが基準レベル以上であれば、上記設定された受話音量を調整するため、通話相手に応じて受話音量を設定するとともに周囲の騒音レベルに応じて上記受話音量を調整することができる。これにより、通話時の音声の聞き取りやすさを向上させ周囲への音声漏れを防止することができる。また、周囲の騒音レベルは通話のたびに変化することを考慮し、次回の通話のための受話音量情報の記憶については、周囲の騒音レベルに基づく調整後の受話音量でなく、周囲の騒音レベルに基づく調整前に設定された受話音量を、電話帳データベースや発着信履歴データベースに記憶する動作を制御する。これにより、通話のたびに変化する周囲の騒音レベルの影響を排除した上で、通話相手に応じて設定された適切な受話音量を記憶することができる。なお、上記の「デフォルト値」としては、従来の手法により適正に設定された受話音量の適正値などを採用することが望ましい。
【００１０】
なお、通信端末が備えた受話音量設定部は、新たな通話の通話相手の受話音量情報が電話帳データベースに記憶されている場合は、電話帳データベースに記憶された受話音量情報を今回の通話で用いる受話音量として設定し、通話相手の受話音量情報が電話帳データベースに記憶されておらず通話相手の前回の通話時の受話音量情報が発着信履歴データベースに記憶されている場合は、発着信履歴データベースに記憶された前回の通話時の受話音量情報を今回の通話で用いる受話音量として設定し、通話相手の受話音量情報が電話帳データベースに記憶されておらず通話相手の前回の通話時の受話音量情報が発着信履歴データベースに記憶されていない場合は、受話音量のデフォルト値を今回の通話で用いる受話音量として設定する構成とすることが望ましい。
【００１１】
同様に、受話音量制御方法の受話音量設定ステップでは、通信端末は、新たな通話の通話相手の受話音量情報が電話帳データベースに記憶されている場合は、電話帳データベースに記憶された受話音量情報を今回の通話で用いる受話音量として設定し、通話相手の受話音量情報が電話帳データベースに記憶されておらず通話相手の前回の通話時の受話音量情報が発着信履歴データベースに記憶されている場合は、発着信履歴データベースに記憶された前回の通話時の受話音量情報を今回の通話で用いる受話音量として設定し、通話相手の受話音量情報が電話帳データベースに記憶されておらず通話相手の前回の通話時の受話音量情報が発着信履歴データベースに記憶されていない場合は、受話音量のデフォルト値を今回の通話で用いる受話音量として設定することが望ましい。
【００１２】
上記の受話音量設定部又は受話音量設定ステップによって、今回の通話で用いる受話音量の設定では、(1)電話帳データベースに記憶された受話音量情報、(2)発着信履歴データベースに記憶された前回の通話時の受話音量情報、(3)受話音量のデフォルト値、の順に優先的に設定することができる。
【００１３】
さらに、通信端末が備えた受話音量記憶制御部は、新たな通話の通話相手が電話帳データベースに記憶されていない場合は、設定された受話音量を発着信履歴データベースに記憶し、新たな通話の通話相手が電話帳データベースに記憶されているが当該通話相手の受話音量情報が電話帳データベースに記憶されていない場合は、設定された受話音量を電話帳データベースに記憶する構成とすることが望ましい。
【００１４】
同様に、受話音量制御方法の受話音量記憶制御ステップでは、通信端末は、新たな通話の通話相手が電話帳データベースに記憶されていない場合は、設定された受話音量を発着信履歴データベースに記憶し、新たな通話の通話相手が電話帳データベースに記憶されているが当該通話相手の受話音量情報が電話帳データベースに記憶されていない場合は、設定された受話音量を電話帳データベースに記憶することが望ましい。
【００１５】
上記の受話音量記憶制御部又は受話音量記憶制御ステップによって、電話帳データベースに無い通話相手については受話音量を発着信履歴データベースに記憶し、電話帳データベースに有るが受話音量情報が未登録の通話相手については受話音量を電話帳データベースに記憶することができる。
【発明の効果】
【００１６】
本発明によれば、通話時の音声の聞き取りやすさを向上させ周囲への音声漏れを防止することができる。また、通話のたびに変化する周囲の騒音レベルの影響を排除した上で、通話相手に応じて設定された適切な受話音量を次回以降の通話のために記憶することができる。
【図面の簡単な説明】
【００１７】
【図１】実施形態に係る通信端末の機能構成を示す図である。
【図２】図１に示す通信端末のハードウェア構成を示す図である。
【図３】電話帳データベースに記憶された情報の一例を示す図である。
【図４】発着信履歴データベースに記憶された情報の一例を示す図である。
【図５】実施形態に係る受話音量制御処理を示すフローチャートである。
【図６】受話音量設定処理に関するサブルーチンを示すフローチャートである。
【図７】受話音量記憶制御処理に関するサブルーチンを示すフローチャートである。
【発明を実施するための形態】
【００１８】
以下、添付画面を参照しながら本発明の実施形態を詳細に説明する。なお、図面の説明において同一又は同等の要素には同一の符号を付し、重複する説明を省略する。
【００１９】
［通信端末の構成について］
図１は、本発明の一実施形態に係る通信端末１０の機能ブロック図である。通信端末１０は、少なくとも通話機能を備える端末である。通信端末１０の例としては携帯電話機や通話機能を有する携帯情報端末が挙げられるが、通信端末１０の種類はこれらに限定されない。図１に示すように、通信端末１０は、機能的構成要素として、通話部１１、電話帳データベース（以下「電話帳ＤＢ」という）１２、発着信履歴データベース（以下「発着信履歴ＤＢ」という）１３、受話音量設定部１４、騒音測定部１５、騒音判断部１６、受話音量調整部１７、及び受話音量記憶制御部１８を備えている。
【００２０】
通信端末１０は、ハードウェア構成としては、例えば図２に示すように、オペレーティングシステムやアプリケーションプログラムなどを実行するＣＰＵ１０１と、ＲＯＭ及びＲＡＭで構成される主記憶部１０２と、メモリなどで構成される補助記憶部１０３と、呼の確立やデータ通信を行う通信制御部１０４と、文字入力用のキーで構成される操作部１０５と、モニタ及びスピーカで構成される出力部１０６とを備えている。図１に示す通信端末１０の各機能は、ＣＰＵ１０１及び主記憶部１０２の上に所定のソフトウェアを読み込ませ、ＣＰＵ１０１の制御の下で、主記憶部１０２及び補助記憶部１０３に対しデータの読み書きを行いながら上記ソフトウェアを実行することで実現される。
【００２１】
通話部１１は、通話を実行する部分であり、通信端末１０から外部への発信及び外部から通信端末１０への着信を制御する発着信部１１Ａと、ユーザからの音声を入力する音声入力部１１Ｂと、音声を出力する音声出力部１１Ｃと、ユーザが機能選択や動作指示等を行うための操作部１１Ｄとを含んでいる。ここで「通話」には、通信端末１０から外部への発信呼により開始された通話と、外部から通信端末１０への着信呼により開始された通話の両方を含む。
【００２２】
電話帳ＤＢ１２は、通信端末１０における電話帳情報を記憶（登録）する部分であり、図３に示すように、記憶される電話帳情報には、通話相手ごとの受話音量情報が含まれる。
【００２３】
発着信履歴ＤＢ１３は、通信端末１０における発着信の履歴に関する情報（発着信履歴情報）を記憶（登録）する部分であり、図４に示すように、記憶される発着信履歴情報には、前回の通話時の受話音量情報が含まれる。
【００２４】
受話音量設定部１４は、新たな通話の開始時に、その通話に関する受話音量を設定する部分である。詳細な動作は後述するが、受話音量設定部１４は、電話帳ＤＢ１２に記憶されている通話相手の受話音量情報、発着信履歴ＤＢ１３に記憶されている通話相手の前回の通話時の受話音量情報、および、予め定められた受話音量のデフォルト値、の何れかを、今回の新たな通話で用いる受話音量として設定する。なお、上記の「デフォルト値」としては、例えば従来の手法により適正に設定された受話音量の適正値を採用することができる。
【００２５】
騒音測定部１５は、通信端末１０の周囲の騒音レベルを測定する部分である。
【００２６】
騒音判断部１６は、騒音測定部１５により測定された周囲の騒音レベルが予め定められた基準レベル以上か否かを判定し、周囲の騒音レベルが基準レベル以上の場合、受話音量設定部１４により設定された受話音量を調整すると判断し、周囲の騒音レベルが基準レベル未満の場合、受話音量設定部１４により設定された受話音量を調整不要と判断する部分である。
【００２７】
受話音量調整部１７は、騒音判断部１６により受話音量を調整すると判断された場合に、周囲の騒音レベルに応じて受話音量を調整する部分である。その調整方法は後述する。
【００２８】
受話音量記憶制御部１８は、電話帳ＤＢ１２および発着信履歴ＤＢ１３への通話相手の受話音量情報の記憶を制御する部分である。受話音量記憶制御部１８は、受話音量調整部１７による調整が行われる前に受話音量設定部１４により設定された受話音量を電話帳ＤＢ１２および発着信履歴ＤＢ１３に記憶する動作を制御する。その詳細な動作は後述する。
【００２９】
［通信端末にて実行される受話音量制御処理について］
図５は、通信端末１０にて実行される受話音量制御処理のフローチャートである。以下、図５を用いて受話音量制御処理について説明する。通信端末１０の発着信部１１Ａが通信端末１０からの発信又は通信端末１０への着信を検知したことをトリガーとして、図５の受話音量制御処理が実行開始される。
【００３０】
まず、図５のステップＳ１では、受話音量設定部１４が、今回の新たな通話に関する受話音量を設定する処理（図６）を行う。即ち、図６に示すように受話音量設定部１４は、今回の通話相手が電話帳ＤＢ１２に登録されているか否かを判定し（ステップＳ１１）、通話相手が電話帳ＤＢ１２に登録されている場合、その通話相手の受話音量情報が電話帳ＤＢ１２に登録されているか否かを判定する（ステップＳ１２）。ここで通話相手の受話音量情報が電話帳ＤＢ１２に登録されている場合、電話帳ＤＢ１２に登録されている受話音量情報を今回の通話で用いる受話音量として設定する（ステップＳ１３）。
【００３１】
一方、ステップＳ１１で通話相手が電話帳ＤＢ１２に登録されていない場合およびステップＳ１２で通話相手の受話音量情報が電話帳ＤＢ１２に登録されていない場合は、その通話相手の前回の通話時の受話音量情報が発着信履歴ＤＢ１３に登録されているか否かを判定する（ステップＳ１４）。ここで前回の通話時の受話音量情報が発着信履歴ＤＢ１３に登録されている場合は、発着信履歴ＤＢ１３に登録されている前回の通話時の受話音量情報を今回の通話で用いる受話音量として設定する（ステップＳ１５）。一方、ステップＳ１４で前回の通話時の受話音量情報が発着信履歴ＤＢ１３に登録されていない場合は、予め定められた受話音量のデフォルト値を今回の通話で用いる受話音量として設定する（ステップＳ１６）。以上のようにして、受話音量設定部１４は、今回の新たな通話に関する受話音量を設定する。図６の処理により、今回の通話で用いる受話音量の設定では、(1)電話帳ＤＢ１２に記憶された受話音量情報、(2)発着信履歴ＤＢ１３に記憶された前回の通話時の受話音量情報、(3)受話音量のデフォルト値、の順に優先的に設定することができる。
【００３２】
図５に戻って、次のステップＳ２では、騒音測定部１５が通信端末１０の周囲の騒音レベルを測定し、次のステップＳ３では、騒音判断部１６が、騒音測定部１５により測定された周囲の騒音レベルが予め定められた基準レベル以上か否かに応じて、受話音量設定部１４により設定された受話音量を調整するか否かを判断する。即ち、騒音判断部１６は、周囲の騒音レベルが基準レベル以上の場合は受話音量設定部１４により設定された受話音量を調整すると判断し、一方、周囲の騒音レベルが基準レベル未満の場合は受話音量設定部１４により設定された受話音量を調整不要と判断する。
【００３３】
ここで、受話音量設定部１４により設定された受話音量を調整不要と判断された場合は、後述するステップＳ５へ進み、一方、受話音量設定部１４により設定された受話音量を調整すると判断された場合は、ステップＳ４において受話音量調整部１７が、周囲の騒音レベルに応じて受話音量を調整する。一例として、受話音量調整部１７は、さまざまな騒音レベルそれぞれに対し予め適正に設定された受話音量を記憶しておく。ここで、ステップＳ２の測定で得られた騒音レベルがＮ１であり、騒音レベルＮ１に対し適正に設定された受話音量がＤ１であった場合、ステップＳ１で設定された受話音量Ｄが受話音量Ｄ１よりも小さければ、受話音量Ｄを受話音量Ｄ１に変更する（即ち、受話音量Ｄ１まで増加させる）、といった調整を行う。このような調整後は、後述するステップＳ５へ進む。
【００３４】
ステップＳ５では、受話音量記憶制御部１８が、受話音量調整部１７による調整が行われる前に受話音量設定部１４により設定された受話音量を、電話帳ＤＢ１２や発着信履歴ＤＢ１３へ記憶する動作を制御する処理（図７）を行う。即ち、図７に示すように受話音量記憶制御部１８は、受話音量設定部１４により設定された受話音量に対し受話音量調整部１７による調整が行われたか否かを判定し（ステップＳ５１）、受話音量調整部１７による調整が行われている場合は、調整後の受話音量を調整前の受話音量に戻すための調整分相殺処理を行い（ステップＳ５２）、調整分相殺処理後の受話音量情報を一時記憶する（ステップＳ５３）。なお、別の例として、受話音量記憶制御部１８が、調整前の受話音量情報（即ち、ステップＳ１で設定された受話音量情報）を記憶しておき、ステップＳ５２では、調整後の受話音量情報を、記憶しておいた調整前の受話音量情報に置き換えてもよい。
【００３５】
一方、ステップＳ５１で受話音量調整部１７による調整が行われていない場合は、通話で用いられた受話音量情報（即ち、受話音量設定部１４により設定された受話音量情報）を一時記憶する（ステップＳ５４）。
【００３６】
そして、今回の通話相手が電話帳ＤＢ１２に登録されているか否かを判定し（ステップＳ５５）、通話相手が電話帳ＤＢ１２に登録されていない場合、一時記憶していた受話音量情報を発着信履歴ＤＢ１３に登録する（ステップＳ５６）。一方、ステップＳ５５で通話相手が電話帳ＤＢ１２に登録されている場合は、その通話相手の受話音量情報が電話帳ＤＢ１２に登録されているか否かを判定する（ステップＳ５７）。ここで通話相手の受話音量情報が電話帳ＤＢ１２に登録されていない場合は、一時記憶していた受話音量情報を当該通話相手の受話音量情報として電話帳ＤＢ１２に登録する（ステップＳ５８）。
【００３７】
一方、ステップＳ５７で通話相手の受話音量情報が電話帳ＤＢ１２に登録されている場合は、新たに受話音量情報を登録する必要がないので、一時記憶していた受話音量情報の登録を回避し、処理を終了する。なお、別の例として、一時記憶していた受話音量情報を当該通話相手の受話音量情報として電話帳ＤＢ１２に登録（上書き）してもよい。一時記憶していた受話音量情報は、電話帳ＤＢ１２に登録されている当該通話相手の受話音量情報と同じであるため、登録された受話音量情報は変わらない。
【００３８】
以上のようにして、受話音量記憶制御部１８は、次回以降の通話で用いられる受話音量情報の記憶処理を制御する。図７の処理により、電話帳ＤＢ１２に無い通話相手については受話音量を発着信履歴データベースに記憶し、電話帳データベースに有るが受話音量情報が未登録の通話相手については受話音量を電話帳データベースに記憶することができる。
【００３９】
以上説明したように、本実施形態によれば、新たな通話の開始時に通話相手に応じて受話音量を設定し、そのときの周囲の騒音レベルが基準レベル以上であれば、上記設定された受話音量を調整するため、通話相手に応じて受話音量を設定するとともに周囲の騒音レベルに応じて上記受話音量を調整することができる。これにより、通話時の音声の聞き取りやすさを向上させ周囲への音声漏れを防止することができる。
【００４０】
また、周囲の騒音レベルは通話のたびに変化することを考慮し、次回の通話のための受話音量情報の記憶（登録）については、周囲の騒音レベルに基づく調整後の受話音量でなく、周囲の騒音レベルに基づく調整前に設定された受話音量を、電話帳データベースや発着信履歴データベースに記憶（登録）する動作を制御する。これにより、通話のたびに変化する周囲の騒音レベルの影響を排除した上で、通話相手に応じて設定された適切な受話音量を記憶することができる。
【００４１】
以上、本発明を、その実施形態に基づいて詳細に説明した。しかし、本発明は上記実施形態に限定されるものではない。本発明は、その要旨を逸脱しない範囲で以下のような様々な変形が可能である。
【符号の説明】
【００４２】
１０…通信端末、１１…通話部、１１Ａ…発着信部、１１Ｂ…音声入力部、１１Ｃ…音声出力部、１１Ｄ…操作部、１２…電話帳ＤＢ、１３…発着信履歴ＤＢ、１４…受話音量設定部、１５…騒音測定部、１６…騒音判断部、１７…受話音量調整部、１８…受話音量記憶制御部、１０１…ＣＰＵ、１０２…主記憶部、１０３…補助記憶部、１０４…通信制御部、１０５…操作部、１０６…出力部。
【図１】
2011205245.tif 000003
【図２】
2011205245.tif 000004
【図３】
2011205245.tif 000005
【図４】
2011205245.tif 000006
【図５】
2011205245.tif 000007
【図６】
2011205245.tif 000008
【図７】
2011205245.tif 000009